(57)【要約】【課題】運行する列車のより正確な列車位置情報及び遅延時分情報を提供することができる運行情報提供システム等を提供する。【解決手段】列車運行情報サーバ１と、乗務員が携行する携帯端末から緯度経度情報を取得する緯度経度情報サーバ２と、時刻表データベース３と、運行情報提供サーバ４とから構成される運行情報提供システム１００であって、運行情報提供サーバ４は、列車運行情報サーバから列車運行情報を、緯度経度情報サーバから緯度経度情報を、時刻表データベースから時刻表情報及びキロ程情報をそれぞれ収集する情報収集部４３と、収集した前記列車運行情報、前記緯度経度情報、前記時刻表情報及び前記キロ程情報に基づいて列車位置情報と遅延時分情報を算出する運行情報算出部４４と、算出された列車位置情報と遅延時分情報をネットワーク接続されたユーザ端末に提供する運行情報提供部４５を備える。【選択図】図１
2015155220.tif 000002
【特許請求の範囲】
【請求項１】
列車運行情報を管理する列車運行情報サーバと、
乗務員が携行する携帯端末から緯度経度情報を取得する緯度経度情報サーバと、
時刻表情報及びキロ程情報が蓄積された時刻表データベースと、
運行情報をネットワークに接続されたユーザ端末に提供する運行情報提供サーバと、
から構成される運行情報提供システムであって、
前記運行情報提供サーバは、
前記列車運行情報サーバから列車運行情報を、前記緯度経度情報サーバから前記緯度経度情報を、前記時刻表データベースから時刻表情報及びキロ程情報をそれぞれ収集する情報収集部と、
収集した前記列車運行情報、前記緯度経度情報、前記時刻表情報及び前記キロ程情報に基づいて列車位置情報と遅延時分情報を算出する運行情報算出部と、
算出された列車位置情報と遅延時分情報をネットワーク接続された前記ユーザ端末に提供する運行情報提供部と、
を備えたことを特徴とする運行情報提供システム。
【請求項２】
前記運行情報算出部は、
前記列車運行情報と前記緯度経度情報とが示す内容に矛盾がある場合には、前記列車運行情報に基づき列車位置情報と遅延時分情報を算出することを特徴とする請求項１に記載の運行情報提供システム。
【請求項３】
前記運行情報算出部は、
前記列車運行情報の取得ができない線区においては、前記緯度経度情報に基づき列車位置情報と遅延時分情報を算出することを特徴とする請求項１に記載の運行情報提供システム。
【請求項４】
前記運行情報提供部は、
前記列車運行情報から特定の列車に関する情報を除いた情報を前記ユーザ端末に提供することを特徴とする請求項１から３のいずれか一項に記載の運行情報提供システム。
【請求項５】
前記運行情報提供部は、
前記ユーザ端末の表示画面に、路線図、線区の運行情報を表示させることを特徴とする請求項１から４のいずれか一項に記載の運行情報提供システム。
【請求項６】
前記運行情報提供部は、
前記ユーザ端末の表示画面に、前記ユーザ端末により選択された線区における列車位置情報と遅延時分情報を表示させることを特徴とする請求項５に記載の運行情報提供システム。
【請求項７】
前記運行情報提供部は、
前記遅延時分情報における遅延時間の値が所定の値を超過した場合に、前記ユーザ端末の表示画面における表示色を変えることを特徴とする請求項１から６のいずれか一項に記載の運行情報提供システム。
【請求項８】
列車運行情報を管理する列車運行情報サーバと、乗務員が携行する携帯端末から緯度経度情報を取得する緯度経度情報サーバと、時刻表情報及びキロ程情報が蓄積された時刻表データベースと、に通信接続された運行情報提供サーバであって、
前記列車運行情報サーバから列車運行情報を、前記緯度経度情報サーバから前記緯度経度情報を、前記時刻表データベースから時刻表情報及びキロ程情報をそれぞれ収集する情報収集部と、
収集した前記列車運行情報、前記緯度経度情報、前記時刻表情報及び前記キロ程情報に基づいて列車位置情報と遅延時分情報を算出する運行情報算出部と、
算出された列車位置情報と遅延時分情報をネットワーク接続されたユーザ端末に提供する運行情報提供部と、
を備えたことを特徴とする運行情報提供サーバ。
【請求項９】
列車運行情報を管理する列車運行情報サーバから前記列車運行情報を、乗務員が携行する携帯端末から緯度経度情報を取得する緯度経度情報サーバから前記緯度経度情報を、時刻表情報及びキロ程情報が蓄積された時刻表データベースから前記時刻表情報及び前記キロ程情報をそれぞれ収集する情報収集工程と、
収集した前記列車運行情報、前記緯度経度情報、前記時刻表情報及び前記キロ程情報に基づき列車位置情報と遅延時分情報を算出する運行情報算出工程と、
算出された列車位置情報と遅延時分情報をネットワーク接続されたユーザ端末に提供する運行情報提供工程と、
を含むことを特徴とする運行情報提供方法。
【発明の詳細な説明】
【技術分野】
【０００１】
本発明は、運行情報提供システム、運行情報提供サーバ及び運行情報提供方法に関する。
【背景技術】
【０００２】
従来、列車の運行情報を提供する運行管理システムとしては、例えば、列車運行情報表示装置（Train Information Display：以下、単にＴＩＤと呼ぶ）が知られており、運行管理システム、ダイヤ管理システム、及び保守作業管理システムから受信した位置情報や遅延情報等の列車運行情報、ダイヤデータ、及び保守作業計画データに基づいて各種列車情報を提供する列車情報提供装置が開示されている（特許文献１参照）。
【０００３】
また、近年では、ＧＰＳ（Global Positioning System）を利用して取得した列車の位置を緯度及び経度で示す列車運行情報（以下、単に緯度経度情報と呼ぶ。）に基づき、地図画像の上に、列車を疑似的に表示するとともに、列車の運行に伴って疑似的に表示した列車を移動させることにより、列車の擬似動画を表示する移動体情報提示装置が開示されている（特許文献２参照）。
特に、列車の乗務員にタブレット端末等の携帯端末を携行させている場合には、別途列車にＧＰＳ装置を設置することなく、乗務員が携行する携帯端末のＧＰＳ機能を利用することにより、運行する列車の緯度経度情報を容易に取得することができ、運行情報提供システムに活用することができる。
【先行技術文献】
【特許文献】
【０００４】
【特許文献１】特開２００２−３０８０９９号公報
【特許文献２】特開２０１３−１７４８４６号公報
【発明の概要】
【発明が解決しようとする課題】
【０００５】
しかしながら、列車運行情報として得られる位置情報は、軌道回路の情報に基づくものであり、例えば、注目する列車が、ある閉塞区間内に在線することは認識できるものの、当該閉塞区間のどの位置を進行中であるか等の正確な列車位置情報は、認識できないといった問題点があった。
また、列車運行情報として得られる遅延情報は、当該閉塞区間に進行した際の遅延情報であり、次の閉塞区間に進行するまで、現時点における正確な列車遅延時分は分からないといった問題点があった。
さらに、運行管理システムは、全ての営業路線の線区に亘って列車運行情報が集約されるものではなく、例えば、運行管理システムが未整備の線区においては、列車運行情報を得ることができないといった問題点もあった。
【０００６】
一方、ＧＰＳを利用した緯度経度情報は、緯度及び経度から列車の在線位置等の列車位置情報を認識するものであり、例えば、注目する列車が、ある停車場に在線することは認識できるものの、当該停車場の何番線に在線するかまでは認識できないといった問題点があった。
【０００７】
本発明の課題は、運行する列車のより正確な列車位置情報及び遅延時分情報を提供することができる運行情報提供システム、運行情報提供サーバ及び運行情報提供方法を提供することにある。
【課題を解決するための手段】
【０００８】
上記課題を達成するため、この発明は、
列車運行情報を管理する列車運行情報サーバと、
乗務員が携行する携帯端末から緯度経度情報を取得する緯度経度情報サーバと、
時刻表情報及びキロ程情報が蓄積された時刻表データベースと、
運行情報をネットワークに接続されたユーザ端末に提供する運行情報提供サーバと、
から構成される運行情報提供システムであって、
前記運行情報提供サーバは、
前記列車運行情報サーバから列車運行情報を、前記緯度経度情報サーバから前記緯度経度情報を、前記時刻表データベースから時刻表情報及びキロ程情報をそれぞれ収集する情報収集部と、
収集した前記列車運行情報、前記緯度経度情報、前記時刻表情報及び前記キロ程情報に基づいて列車位置情報と遅延時分情報を算出する運行情報算出部と、
算出された列車位置情報と遅延時分情報をネットワーク接続された前記ユーザ端末に提供する運行情報提供部と、
を備えるようにしたものである。
【０００９】
また、望ましくは、前記運行情報算出部は、前記列車運行情報と前記緯度経度情報とが示す内容に矛盾がある場合には、前記列車運行情報に基づき列車位置情報と遅延時分情報を算出するようにしたものである。
【００１０】
また、望ましくは、前記運行情報算出部は、前記列車運行情報の取得ができない線区においては、前記緯度経度情報に基づき列車位置情報と遅延時分情報を算出するようにしたものである。
【００１１】
また、望ましくは、前記運行情報提供部は、前記列車運行情報から特定の列車に関する情報を除いた情報を前記ユーザ端末に提供するようにしたものである。
【００１２】
また、望ましくは、前記運行情報提供部は、前記ユーザ端末の表示画面に、時刻表、路線図、線区の運行情報を表示させるようにしたものである。
【００１３】
また、望ましくは、前記運行情報提供部は、前記ユーザ端末の表示画面に、前記ユーザ端末により選択された線区における列車位置情報と遅延時分情報を表示させるようにしたものである。
【００１４】
また、望ましくは、前記運行情報提供部は、前記遅延時分情報における遅延時間の値が所定の値を超過した場合に、前記ユーザ端末の表示画面における表示色を変えるようにしたものである。
【００１５】
また、本出願の他の発明は、
列車運行情報を管理する列車運行情報サーバと、乗務員が携行する携帯端末から緯度経度情報を取得する緯度経度情報サーバと、時刻表情報及びキロ程情報が蓄積された時刻表データベースと、に通信接続された運行情報提供サーバであって、
前記列車運行情報サーバから列車運行情報を、前記緯度経度情報サーバから前記緯度経度情報を、前記時刻表データベースから時刻表情報及びキロ程情報をそれぞれ収集する情報収集部と、
収集した前記列車運行情報、前記緯度経度情報、前記時刻表情報及び前記キロ程情報に基づいて列車位置情報と遅延時分情報を算出する運行情報算出部と、
算出された列車位置情報と遅延時分情報をネットワーク接続されたユーザ端末に提供する運行情報提供部と、
を備えるようにしたものである。
【００１６】
また、本出願の他の発明は、
列車運行情報を管理する列車運行情報サーバから前記列車運行情報を、乗務員が携行する携帯端末から緯度経度情報を取得する緯度経度情報サーバから前記緯度経度情報を、時刻表情報及びキロ程情報が蓄積された時刻表データベースから前記時刻表情報及び前記キロ程情報をそれぞれ収集する情報収集工程と、
収集した前記列車運行情報、前記緯度経度情報、前記時刻表情報及び前記キロ程情報に基づき列車位置情報と遅延時分情報を算出する運行情報算出工程と、
算出された列車位置情報と遅延時分情報をネットワーク接続されたユーザ端末に提供する運行情報提供工程と、
を含むようにしたものである。
【発明の効果】
【００１７】
本発明によれば、情報収集部が、列車運行情報サーバから列車運行情報を、緯度経度情報サーバから緯度経度情報を、時刻表データベースから時刻表情報及びキロ程情報をそれぞれ収集し、運行情報算出部が、収集した列車運行情報、緯度経度情報、時刻表情報及びキロ程情報に基づき列車位置情報と遅延時分情報を算出し、運行情報提供部が、算出された列車位置情報と遅延時分情報をネットワークに接続されたユーザ端末に提供することにより、運行する列車のより正確な列車位置情報及び遅延時分情報を提供することができる。
【図面の簡単な説明】
【００１８】
【図１】本実施の形態に係る運行情報提供システム全体を示す要部ブロック図である。
【図２】本実施の形態に係る運行情報提供システムを構成する運行情報提供サーバの一例を示す概略構成図である。
【図３】運行情報提供サーバの動作の一例を示すフローチャートである。
【図４】運行情報提供サーバから提供される表示画面の一例を示す説明図である。
【図５】運行情報提供サーバから提供される線区における表示画面の一例を示す説明図である。
【図６】運行情報提供サーバから提供される線区における表示画面の他の一例を示す説明図である。
【図７】特定の列車に関する情報の提供の可否を示す説明図である。
【図８】遅延時分情報に基づく端末の表示画面における表示色の変化を示す説明図である。
【発明を実施するための形態】
【００１９】
［１．構成の説明］
以下、図面を参照しつつ、本発明の実施形態である運行情報提供システムを詳細に説明する。但し、発明の範囲は、図示例に限定されない。
【００２０】
（実施形態）
本発明の実施形態の運行情報提供システムの構成について図１及び図２を参照して説明する。図１は、運行情報提供システム１００全体を示す要部ブロック図であり、図２は、運行情報提供システム１００を構成する運行情報提供サーバの一例を示す概略構成図である。
【００２１】
図１に示すように、運行情報提供システム１００（以下、単にシステム１００と呼ぶ。）は、列車運行情報サーバ１、緯度経度情報サーバ２、時刻表データベース３、運行情報提供サーバ４を有し、列車運行情報サーバ１、緯度経度情報サーバ２、時刻表データベース３及び運行情報提供サーバ４はネットワークＮ１（有線、無線、もしくは、有線無線の組み合わせ）により相互に接続されている。
【００２２】
列車運行情報サーバ１は、列車番号、窓番号（何番ホームであるか）、列車遅延時分、キロ程、上下（上りであるか下りであるかの識別）や、軌道回路から得られる列車位置の情報等の列車運行情報（ＴＩＤ情報）を収集して管理するサーバである。
具体的には、列車運行情報サーバ１は、図示しないＣＰＵ（Central Processing Unit）、ＲＯＭ（Read Only Memory）、ＲＡＭ（Random Access Memory）、記憶手段であるハードディスク、ネットワークＮ１を介して通信するための通信手段等を有しており、ＲＡＭの作業領域に展開されたＲＯＭ等に記憶された各種プログラムデータとＣＰＵとの協働により、列車運行情報サーバ１全体を統括制御する。
【００２３】
緯度経度情報サーバ２は、列車の乗務員が携行するタブレット端末等の携帯端末ＴＢ１、ＴＢ２のＧＰＳ機能を利用して、携帯端末ＴＢ１、ＴＢ２から端末番号、運行する列車の緯度経度情報、行路番号、測位時間、乗務員区分等を無線通信等のネットワークＮ２を介して取得し、取得した列車の緯度経度情報等の情報を管理するサーバである。
具体的には、緯度経度情報サーバ２は、図示しないＣＰＵ、ＲＯＭ、ＲＡＭ、記憶手段であるハードディスク、ネットワークＮ１及びＮ２を介して通信するための通信手段等を有しており、ＲＡＭの作業領域に展開されたＲＯＭ等に記憶された各種プログラムデータとＣＰＵとの協働により、緯度経度情報サーバ２全体を統括制御する。
また、緯度経度情報サーバ２における緯度経度情報等の情報の取得間隔としては、携帯端末ＴＢ１、ＴＢ２のバッテリーの寿命等を勘案して、例えば、運行時は１キロメートル毎に１回、待機時は１０分に１回等とする。
【００２４】
時刻表データベース３は、時刻表情報及びキロ程情報等が蓄積されたデータベースであり、具体的には、時刻表データベース３は、図示しないＣＰＵ、ＲＯＭ、ＲＡＭ、データベースを蓄積する記憶手段であるハードディスク、ネットワークＮ１を介して通信するための通信手段等を有しており、ＲＡＭの作業領域に展開されたＲＯＭ等に記憶された各種プログラムデータとＣＰＵとの協働により、時刻表データベース３全体を統括制御する。
【００２５】
運行情報提供サーバ４は、ネットワークＮ１を介して、列車運行情報サーバ１、緯度経度情報サーバ２及び時刻表データベース３から情報を収集して運行情報を算出し、ユーザであるお客様、あるいは、鉄道会社社員が携行するスマートフォン等の携帯端末（ユーザ端末）ＳＰ１、ＳＰ２に無線通信等のネットワークＮ３を介して算出された運行情報を提供する。
具体的には、運行情報提供サーバ４は、図２に示すように、通信部４１、記憶部４２、情報収集部４３、運行情報算出部４４及び運行情報提供部４５を有する。
【００２６】
また、情報収集部４３、運行情報算出部４４及び運行情報提供部４５は、演算制御部５０によってその機能が実現される。具体的には、演算制御部５０は、ＣＰＵ、ＲＯＭ、ＲＡＭ等を有しており、ＲＡＭの作業領域に展開されたＲＯＭ等に記憶された各種プログラムデータとＣＰＵとの協働により、通信部４１、記憶部４２、情報収集部４３、運行情報算出部４４及び運行情報提供部４５を統括制御するとともに、情報収集部４３、運行情報算出部４４及び運行情報提供部４５における処理を実行して各部の機能を実現する。
【００２７】
図２における通信部４１は、演算制御部５０の制御により、ネットワークＮ１を介して、列車運行情報サーバ１、緯度経度情報サーバ２及び時刻表データベース３との間で通信を行う。例えば、有線の通信を行うためのネットワークカード、あるいは、無線の通信を行うためのネットワークカードで構成される。
【００２８】
記憶部４２は、演算制御部５０（情報収集部４３、運行情報算出部４４及び運行情報提供部４５）から読み書き可能に情報を記憶する。例えば、記憶部２は、ハードディスク、半導体メモリ等であって、情報収集部４３が列車運行情報サーバ１、緯度経度情報サーバ２及び時刻表データベース３から収集した情報等が記憶されている。
【００２９】
情報収集部４３は、演算制御部５０の制御により、通信部４１を利用しネットワークＮ１を介して、列車運行情報サーバ１、緯度経度情報サーバ２及び時刻表データベース３との間で通信を行い、列車運行情報、緯度経度情報、時刻表情報及びキロ程情報等を収集して、記憶部４２や演算制御部５０を構成するＲＡＭ等に記憶させる。
【００３０】
運行情報算出部４４は、収集された列車運行情報、緯度経度情報、時刻表情報及びキロ程情報等に基づき列車位置情報と遅延時分情報を算出する。
【００３１】
運行情報提供部４５は、算出された列車位置情報と遅延時分情報をネットワークＮ３に接続されたユーザの携帯端末（ユーザ端末）ＳＰ１、ＳＰ２に提供する。例えば、運行情報提供部４５は、ＷＷＷ（World Wide Web）サーバの機能を有し、ホームページにアクセスしてきたユーザの携帯端末（ユーザ端末）ＳＰ１、ＳＰ２に対して、提供する運行情報を利用し易いように配置されたコンテンツとして提供する。また、運行情報提供部４５は、運行情報のユーザである提供先（お客様、あるいは、鉄道会社社員）に応じた情報のフィルタリング処理を行う。
【００３２】
［２．運行情報提供の動作の説明］
ここで、本発明の実施形態における運行情報提供システム１００の具体的な動作の説明を図３〜図６を用いて詳細に行う。
【００３３】
図３のフローチャートに示すように、情報収集部４３は、通信部４１を制御してネットワークＮ１を介して列車運行情報サーバ１との間で通信を行い、列車運行情報サーバ１に管理されている列車運行情報（ＴＩＤ情報）を収集する（ステップＳ１：情報収集工程（列車運行情報収集工程））。
そして、情報収集部４３は、通信部４１を制御してネットワークＮ１を介して緯度経度情報サーバ２との間で通信を行い、緯度経度情報サーバ２に管理されている携帯端末ＴＢ１、ＴＢ２の緯度経度情報を収集する（ステップＳ２：情報収集工程（緯度経度情報収集工程））。
さらに、情報収集部４３は、通信部４１を制御してネットワークＮ１を介して時刻表データベース３との間で通信を行い、時刻表データベース３に蓄積されている時刻表情報及びキロ程情報を収集する（ステップＳ３：情報収集工程（時刻表情報収集工程））。
【００３４】
また、図３のフローチャートに示すように、運行情報算出部４４は、情報収集部４３により収集された列車運行情報、緯度経度情報、時刻表情報及びキロ程情報等に基づき列車位置情報と遅延時分情報を算出する（ステップＳ４：運行情報算出工程）。
【００３５】
例えば、運行情報算出部４４は、収集された緯度経度情報に示す内容が、収集された列車運行情報のうち位置情報を抽出して得られた列車が在線する閉塞区間内の位置を示していると判断した場合には、運行情報算出部４４は、当該収集された緯度経度情報に基づき得られた列車が在線する閉塞区間内の列車のより正確な位置を列車位置情報として算出する。
また、例えば、収集された列車運行情報のうち遅延情報は、当該閉塞区間に進行した際の遅延情報であり、次の閉塞区間に進行するまでの正確な遅延情報は分からない。このため、運行情報算出部４４は、収集された時刻表情報及びキロ程情報に基づき定刻運行の場合の時刻と位置との関係を示すグラフを作成し、収集された緯度経度情報を測位時間とともに当該グラフにプロットし、定刻運行との差異を遅延時分情報として算出する。
【００３６】
最後に、図３のフローチャートに示すように、運行情報提供部４５は、算出された列車位置情報と遅延時分情報を、ネットワークＮ３に接続された携帯端末（ユーザ端末）ＳＰ１、ＳＰ２に提供する（ステップＳ５：運行情報提供工程）。
【００３７】
携帯端末（ユーザ端末）ＳＰ１、ＳＰ２に提供されるコンテンツとしては、例えば、図４に示す表示画面のように各種運行情報が利用し易いように配置されている。
具体的には、運行情報提供部４５は、携帯端末（ユーザ端末）ＳＰ１、ＳＰ２に提供するコンテンツの表示画面ＤＳ１において、全体的に路線図表示領域ＤＭ１を配置するとともに、表示画面ＤＳ１の左上に時刻表表示領域ＤＭ２を、表示画面ＤＳ１の右側に線区及び駅名選択領域ＤＭ３をそれぞれ配置し、表示画面ＤＳ１の下側に列車位置等表示領域ＤＭ４を配置し、各種情報を表示させる。
例えば、運行情報提供部４５は、表示画面ＤＳ１の線区及び駅名選択領域ＤＭ３において携帯端末のユーザが、情報提供を受けたい線区、あるいは、駅名を選択すると、表示画面ＤＳ１の列車位置等表示領域ＤＭ４に、選択された線区、あるいは、駅名における列車位置情報や遅延時分情報を表示させる。
なお、携帯端末（ユーザ端末）ＳＰ１、ＳＰ２に提供されるコンテンツの表示画面の配置は、図４に示す表示画面に限定されるものではなく、携帯端末の画面サイズや縦横比を考慮して、例えば、ＤＭ４をＤＭ３の位置に配置することや、路線図表示領域ＤＭ１を設けないことも可能である。
【００３８】
ここで、図５は、運行情報提供サーバから提供される線区における表示画面の一例を示す説明図であり、具体的には、選択された線区における表示画面ＤＳ１の列車位置等表示領域ＤＭ４の表示画面の一例を示す説明図である。例えば、携帯端末のユーザが、情報提供を受けたい線区として「○○線」、あるいは、駅名として「Ｂ駅」を選択した場合、運行情報提供部４５が提供する表示画面の一例である。
【００３９】
具体的には、運行情報提供部４５は、列車位置等表示領域ＤＭ４において表示画面ＤＳ２に示すように、選択された「○○線」の「Ｂ駅」を示すアイコンＩＣ１を表示画面ＤＳ２の中央に表示させるとともに、下り方向の「Ａ駅」を示すアイコンＩＣ２を表示画面ＤＳ２の左側に、上り方向の「Ｃ駅」を示すアイコンＩＣ３を表示画面ＤＳ２の右側にそれぞれ表示させる。また、運行情報提供部４５は、各駅のアイコンを接続する上下の線路のアイコンを併せて表示させる。
そして、運行情報提供部４５は、運行情報算出部４４が算出した列車位置情報に基づき対応する線路のアイコン上に、例えば、列車アイコンＴＲ１、ＴＲ２及びＴＲ３を表示させるとともに、列車位置情報の変化に伴い列車アイコンＴＲ１、ＴＲ２及びＴＲ３の表示位置を順次移動させる。
例えば、図５に示す表示画面ＤＳ２からは、「○○線」の「Ｂ駅」には、上り列車ＴＲ１と、下り列車ＴＲ２とが接近中であることが分かる。
【００４０】
また、図６は、運行情報提供サーバから提供される線区における表示画面の他の一例を示す説明図である。運行情報提供部４５は、図６の表示画面ＤＳ３において表示されている列車アイコンＴＲ１にカーソルＣＲ１が重なったと判断した場合には、当該列車アイコンＴＲ１に関する算出された遅延時分情報やその他の情報が表示されたポップアップ画面ＰＤ１を別途表示させる。
例えば、図６に示す表示画面ＤＳ３のポップアップ画面ＰＤ１の内容から、列車アイコンＴＲ１は、「ＡＡＡ  ４３号、ＸＸＸ行き」という列車であり、当該列車は、「ＹＹ分遅れ（遅延時分情報）」であることが分かる。
【００４１】
以上のように、演算制御部５０が、列車運行情報サーバ１から列車運行情報を、緯度経度情報サーバ２から緯度経度情報を、時刻表データベース３から時刻表情報及びキロ程情報をそれぞれ収集し、収集した情報に基づき列車位置情報と遅延時分情報を算出してネットワークＮ３に接続されたユーザ端末に提供することにより、運行する列車のより正確な列車位置情報及び遅延時分情報を提供することができる。
【００４２】
なお、本発明の実施形態等の説明に際しては、運行情報算出部４４は、収集された列車運行情報、緯度経度情報、時刻表情報及びキロ程情報等に基づき列車位置情報と遅延時分情報を算出しているが、緯度経度情報サーバ２における、携帯端末ＴＢ１、ＴＢ２からの情報の取得周期が長い場合や、通信遮断等により十分な情報の取得ができなかった場合には、列車運行情報と緯度経度情報とが示す内容が一致せず矛盾が生じる場合が想定される。
【００４３】
例えば、運行情報算出部４４は、図３のフローチャートのステップＳ４において、収集された緯度経度情報に示す内容が、収集された列車運行情報のうち位置情報を抽出して得られた列車が在線する閉塞区間以外の位置を示している場合、言い換えれば、列車運行情報と緯度経度情報とが示す内容に矛盾がある場合には、収集された緯度経度情報には信頼性がないと判断する。
このような矛盾が生じた場合には、運行情報算出部４４は、列車運行情報を優先し、列車運行情報に基づき列車位置情報と遅延時分情報を算出することにより、算出される列車位置情報と遅延時分情報の信頼性を担保することができる。
【００４４】
また、本発明の実施形態等の説明に際しては、運行情報算出部４４は、収集された列車運行情報、緯度経度情報、時刻表情報及びキロ程情報等に基づき列車位置情報と遅延時分情報を算出しているが、列車運行情報が取得できない線区も存在するため、情報収集部４３が列車運行情報を収集できない線区があることも想定される。
このように情報収集部４３が列車運行情報を収集できない線区では、運行情報算出部４４は、緯度経度情報サーバ２から収集した緯度経度情報に基づき列車位置情報と遅延時分情報を算出することより、列車位置情報と遅延時分情報の欠落を防止することができる。
例えば、運行情報算出部４４は、収集された緯度経度情報に基づき列車が在線する閉塞区間を特定し、当該閉塞区間内の列車のより正確な位置を列車位置情報として算出する。
また、例えば、運行情報算出部４４は、収集された時刻表情報及びキロ程情報に基づき定刻運行の場合の時刻と位置との関係を示すグラフを作成し、収集された緯度経度情報を測位時間とともに当該グラフにプロットし、定刻運行との差異を遅延時分情報として算出する。
【００４５】
また、本発明の実施形態等の説明に際しては、運行情報算出部４４は、収集された列車運行情報、緯度経度情報、時刻表情報及びキロ程情報等に基づき列車位置情報と遅延時分情報を算出しているが、運行情報の提供先がお客様の場合には、運行情報提供部４５が、お客様が必要としない運行情報を除いて、運行情報を提供しても良い。
収集された列車運行情報には、通常の営業運転の列車のみならず、「回送列車」、「臨時列車」、「団体列車」等の列車の情報も含まれるとともに、お客様が必要としない「列車番号」や「キロ程」等といった情報も含まれている。
このため、運行情報提供部４５は、運行情報の提供先である「お客様」、あるいは、「鉄道会社社員」に応じて情報のフィルタリング処理を行う。
【００４６】
例えば、図７は特定の列車に関する情報の提供の可否を示す説明図であり、運行情報の提供先が「鉄道会社社員」である場合、図７（Ａ）に示すように、収集された列車運行情報の全てを提供するとともに、運行情報の提供先が「お客様」である場合、図７（Ｂ）に示すように、一般のお客様が利用しない「回送列車」と「団体列車」の情報は削除し、お客様が利用可能な「臨時列車」であっても、「列車番号」や「キロ程」の情報は提供せずに、「行先」のみ提供する。
このように、運行情報提供部４５が、運行情報の提供先である「お客様」、あるいは、「鉄道会社社員」に応じて情報のフィルタリング処理を行うことにより、「お客様」が必要としない情報を除くことができるので、ネットワークＮ３における負荷を低減することができる。
【００４７】
また、本発明の実施形態等の説明に際しては、運行情報提供部４５は、運行情報算出部４４が算出した列車位置情報と遅延時分情報をネットワークＮ３に接続された携帯端末（ユーザ端末）ＳＰ１、ＳＰ２に提供しているが、算出された遅延時分情報における遅延時間の値に応じて、携帯端末（ユーザ端末）ＳＰ１、ＳＰ２に提供するコンテンツの表示画面における表示色を変えても良い。
例えば、遅延時分情報における遅延時間の値が「５分未満」であれば、図８中の表示画面ＤＳ４における列車位置等表示領域ＤＭ５の表示色を「青色」とし、遅延時分情報における遅延時間の値が「３０分未満」であれば、図８中の表示画面ＤＳ５における列車位置等表示領域ＤＭ６の表示色を「黄色」とし、遅延時分情報における遅延時間の値が「３０分超過」であれば、図８中の表示画面ＤＳ６における列車位置等表示領域ＤＭ７の表示色を「赤色」としても良い。
このように、運行情報提供部４５が、算出された遅延時分情報における遅延時間の値が所定の値を超過等した場合に、携帯端末（ユーザ端末）ＳＰ１、ＳＰ２に提供するコンテンツの表示画面における表示色を変えることにより、列車の遅延状態を視覚的に把握し易くなる。
【００４８】
また、本発明の実施形態等の説明に際しては、携帯端末（ユーザ端末）ＳＰ１、ＳＰ２に提供されるコンテンツにおいて、携帯端末のユーザが、情報提供を受けたい線区や駅名を選択する場合に、情報提供を受けたい線区や駅名をユーザが検索できる機能を設けてもよい。
さらに、携帯端末（ユーザ端末）ＳＰ１、ＳＰ２のＧＰＳ機能を利用することにより、携帯端末（ユーザ端末）ＳＰ１やＳＰ２の現在位置を把握して最寄り駅を自動的に表示させる機能や、情報提供を受けたい線区や駅名をユーザに事前登録させる機能を設けてもよい。この場合、ユーザは情報提供を受けたい線区や駅名を検索する手間を省くことが可能である。
【符号の説明】
【００４９】
１  列車運行情報サーバ
２  緯度経度情報サーバ
３  時刻表データベース
４  運行情報提供サーバ
４１  通信部
４２  記憶部
４３  情報収集部
４４  運行情報算出部
４５  運行情報提供部
５０  演算制御部
１００  システム
ＴＢ１、ＴＢ２  携帯端末
ＳＰ１、ＳＰ２  携帯端末（ユーザ端末）
Ｎ１、Ｎ２、Ｎ３  ネットワーク
【図１】
2015155220.tif 000003
【図２】
2015155220.tif 000004
【図３】
2015155220.tif 000005
【図４】
2015155220.tif 000006
【図５】
2015155220.tif 000007
【図６】
2015155220.tif 000008
【図７】
2015155220.tif 000009
【図８】
2015155220.tif 000010